(57)【要約】      （修正有）【課題】可及的少数のスイッチを用いて挿入口に挿入された大小２種類のディスクを正確に判別できるようにする。【解決手段】凸部６１ａ，６２ａを有して互いの間隔が広がる方向に相対移動するスライダ６１，６２と、挿入口１３に大径ディスクＤか小径ディスクｄが挿入されたときスイッチング操作される検出スイッチＳ１と、挿入口１３に大径ディスクＤが挿入されたときのみスイッチング操作される検出スイッチＳ２と、挿入口１３に大径ディスクＤが挿入されたときのみ、スライダ６１が初期位置から検出スイッチＳ１に対応する第１位置を経由して検出スイッチＳ２に対応する第２位置まで移動することを許容する作動板６３とを備える。作動板６３は、一端部にスライダ６１が第２位置へ移動することを阻止するストッパ部６３ｃを有し、他の一端部がスライダ６２に係合される。【選択図】図１１
2012014814.tif 000002
【特許請求の範囲】
【請求項１】
第１の直径以上の外径を有するディスクが挿入口から挿入されたときに、前記挿入されたディスクの端面により押圧され得る凸部を有して互いの間隔が広がる方向に相対移動する第１のスライダ及び第２のスライダと、
前記挿入口に前記ディスクが挿入されたときスイッチング操作される第１の検出スイッチと、
前記ディスクが前記第１の直径より大きい第２の直径以上の外径を有する大径ディスクである場合に、その大径ディスクが前記挿入口に挿入されたときのみスイッチング操作される第２の検出スイッチと、
前記挿入口に前記大径ディスクが挿入されたときのみ、前記第１のスライダがその凸部を前記大径ディスクで押圧されながら初期位置から前記第１の検出スイッチのスイッチング操作が行われる第１位置を経由して前記第２の検出スイッチのスイッチング操作が行われる第２位置まで移動することを許容する作動板と、を備え、
前記作動板は、その一端部に前記第１のスライダが前記第２位置へ移動することを阻止するストッパ部を有して他の一端部が前記第２のスライダに係合され、
前記第２のスライダが前記ディスクによる前記凸部の押圧により所定の位置まで移動されたとき、前記作動板が前記第２のスライダに連動して、前記第１のスライダの移動経路上から前記ストッパ部が外れ前記第１のスライダの前記第２位置への移動を許容する状態となる規制解除位置まで移動されるようにしたことを特徴とするディスク判別装置。
【請求項２】
前記ディスクが前記第２の直径未満の外径を有する小径ディスクである場合に、前記挿入口から前記小径ディスクがその端面にて前記第２のスライダの凸部のみ押圧する状態で挿入されたとき、前記規制解除位置に向かう作動板から操作力を受けて前記第１のスライダを前記第１位置に向けて押圧するトリガーレバーを備えていることを特徴とする請求項１記載のディスク判別装置。
【請求項３】
前記第１の検出スイッチ及び第２の検出スイッチと前記第１のスライダとの間には、前記第１のスライダに連動して前記第１の検出スイッチ及び第２の検出スイッチのスイッチング操作を行うスイッチング操作部材が設けられていることを特徴とする請求項１、又は２記載のディスク判別装置。
【請求項４】
前記作動板と第１のスライダ及び第２のスライダは、正逆に回転駆動される送りローラと協同して前記挿入口から挿入された前記ディスクを挟んで搬送するガイド板に取り付けられていることを特徴とする請求項１〜３のいずれか１項に記載のディスク判別装置。
【発明の詳細な説明】
【技術分野】
【０００１】
本発明は、ディスクに記録された情報を再生したり、ディスクに所望の情報を記録したりするディスク駆動装置に適用して、ディスクの種別（大小）を機器内へのディスクの挿入時に判別するディスク判別装置に関する。
【背景技術】
【０００２】
従来、楽曲情報などの記録媒体として、直径１２ｃｍの光ディスク（大径ディスク）のほか、シングルＣＤなどと称される直径８ｃｍの光ディスク（小径ディスク）が知られている。一方、その種のディスクに所望の情報を記録したり、その記録情報を再生したりするディスク駆動装置として、ディスクを搭載するトレーを用いず、スロットイン方式といって挿入口に挿入されたディスクを搬送機構により機器内のドライブ位置まで直接搬送するようにしたものが知られる。
【０００３】
ここに、大径ディスクと小径ディスクでは、直径の相違によりドライブ位置までの到達時間が相違するので、ディスクのサイズによって搬送態様を変えてやらないと両サイズのディスクをドライブ位置に適正に配置できなくなるし、小径ディスクに対応してない機種では、小径ディスクがドライブ位置に案内されずに機器内から取り出せなくなるなどの問題を発生する。
【０００４】
このため、スロットイン方式のディスク駆動装置には、通例として機器の挿入口に挿入されたディスクが大径ディスクであるか、小径ディスクであるかを判別するディスク判別装置が設けられる。
【０００５】
係るディスク判別装置として、挿入口の長手方向に沿って摺動可能な左右一対のピンと、その両ピンの移動経路に沿って配置された３つのスイッチとを有し、小径ディスクの挿入時において、３つのスイッチのうち１つ若しくは２つがピンによりスイッチング操作されて「オン」となり、大径ディスクの挿入時には３つのスイッチの全てがピンによりスイッチング操作されて「オン」となるようにしたものが知られる（例えば、特許文献１）。
【０００６】
そして、特許文献１によれば、それら３つのスイッチにより、挿入口に挿入されたディスクが大径ディスクと小径ディスクのいずれであるかを判別して、機器内の可動部を適正に動作させることができる。
【先行技術文献】
【特許文献】
【０００７】
【特許文献１】特開２００２−４２３９９号公報（段落００１８〜００２１、図１〜図３）
【発明の概要】
【発明が解決しようとする課題】
【０００８】
しかしながら、特許文献１のように、大小２種類のディスクを判別するのに３つのスイッチを用いるものでは、部品点数の関係上コスト高となり、それらスイッチの出力信号を処理する電気回路も複雑になる。加えて、３つのスイッチの組み付けに関係して生産性の悪化を招き、しかも３つのスイッチを配置するスペースを確保しなければならないから機器の小型化にも支障を来たす。
【０００９】
本発明は以上のような事情に鑑みて成されたものであり、その目的は可及的少数のスイッチを用いて大小２種類のディスクを正確に判別できるようにすることにある。
【課題を解決するための手段】
【００１０】
本発明は上記目的を達成するため、
（１）第１の直径以上の外径を有するディスクｄ，Ｄが挿入口１３から挿入されたときに、前記挿入されたディスクｄ，Ｄの端面により押圧され得る凸部６１ａ，６２ａを有して互いの間隔が広がる方向に相対移動するスライダ６１，６２と、
挿入口１３にディスクｄ，Ｄが挿入されたときスイッチング操作される検出スイッチＳ１と、
ディスクｄ，Ｄが前記第１の直径より大きい第２の直径以上の外径を有する大径ディスクＤである場合に、その大径ディスクＤが挿入口１３に挿入されたときのみスイッチング操作される検出スイッチＳ２と、
挿入口１３に大径ディスクＤが挿入されたときのみ、スライダ６１がその凸部６１ａを大径ディスクＤで押圧されながら初期位置から検出スイッチＳ１のスイッチング操作が行われる第１位置を経由して検出スイッチＳ２のスイッチング操作が行われる第２位置まで移動することを許容する作動板６３と、を備え、
作動板６３は、その一端部にスライダ６１が前記第２位置へ移動することを阻止するストッパ部６３ｃを有して他の一端部がスライダ６２に係合され、
スライダ６２がディスクｄ，Ｄによる凸部６２ａの押圧により所定の位置まで移動されたとき、作動板６３がスライダ６２に連動して、スライダ６１の移動経路上からストッパ部６３ｃが外れスライダ６１の前記第２位置への移動を許容する状態となる規制解除位置まで移動されるようにしたことを特徴とするディスク判別装置を提供する。
（２）加えて、ディスクｄ，Ｄが前記第２の直径未満の外径を有する小径ディスクｄである場合に、挿入口１３から小径ディスクｄがその端面にてスライダ６２の凸部６２ａのみ押圧する状態で挿入されたとき、前記規制解除位置に向かう作動板６３から操作力を受けてスライダ６１を前記第１位置に向けて押圧するトリガーレバー６６を備えていることを特徴とする。
（３）又、検出スイッチＳ１，Ｓ２とスライダ６１との間には、スライダ６１に連動して検出スイッチＳ１，Ｓ２のスイッチング操作を行うスイッチング操作部材６４が設けられていることを特徴とする。
（４）更に、作動板６３とスライダ６１，６２は、正逆に回転駆動される送りローラ４と協同して挿入口１３から挿入されたディスクｄ，Ｄを挟んで搬送するガイド板５に取り付けられていることを特徴とする。
【発明の効果】
【００１１】
本発明に係るディスク判別装置によれば、挿入口へのディスク挿入時において間隔が広がる方向に相対移動する第１、第２のスライダに加え、第２のスライダの移動に連動する作動板を設け、その作動板により大径ディスクの挿入時と小径ディスクの挿入時とで第１のスライダの移動位置が限定的に変化するようにしていることから、２つの検出スイッチで第１のスライダの位置を検出することにより、挿入口に挿入されたディスクが大径ディスクと小径ディスクのいずれであるかを判別することが可能となる。
【００１２】
すなわち、本発明では特許文献１よりも１つ少ない２つの検出スイッチで大小２種類のディスクを判別でき、コスト削減を図ることができる。
【００１３】
加えて、トリガーレバーを備える態様では、小径ディスクが挿入口の片端（第２のスライダ側）から挿入された場合でも、第２のスライダとは反対側に位置する第１のスライダを移動せしめて検出スイッチの一方をスイッチングし、小径ディスクの挿入を確実に検知することができる。
【００１４】
又、第１、第２の検出スイッチのスイッチング操作が第１のスライダに連動するスイッチング操作部材により行われる態様では、検出スイッチとして、光電スイッチなどの非接触型検出器よりも廉価な接触型検出器を用いることができるほか、スイッチング操作部材の形状により検出スイッチの配置場所に関する設計上の自由度を増すことができる。
【００１５】
更に、スライダや作動板をガイド板に取り付けた態様では、それらの設置に際して新たな場所を確保する必要がなく、既存のディスク駆動装置にも改造を加えずに組み込むことができる。
【図面の簡単な説明】
【００１６】
【図１】本発明に係るディスク判別装置を備えたディスク駆動装置の内部構造を示す側面図
【図２】ガイド板を示す平面図
【図３】図２のＸ−Ｘ断面図
【図４】送りローラとガイド板でディスクが挟まれた状態を示す正面図
【図５】本発明に係るディスク判別装置を組み付け状態を示す透視図
【図６】ディスク判別装置を挿入口側からみた正面概略図
【図７】検出スイッチの配置部分を示す概略図
【図８】本発明に係るディスク判別装置の構成部品の配置位置を示す説明図
【図９】作動板をガイド板側からみた平面図
【図１０】一対のスライダを示す平面図
【図１１】小径ディスク挿入時の動作説明図
【図１２】大径ディスク挿入時の動作説明図
【発明を実施するための形態】
【００１７】
以下、図面に基づき本発明を詳しく説明する。先ず、図１に本発明に係るディスク判別装置を備えた情報記録再生機器（ディスク駆動装置）の内部構造を示して、その全体構成を説明する。
【００１８】
図１において、１は装置の外装を成す筐体であり、この筐体１は金属板をプレス加工して成るベースシャーシ１１と、その上部を覆う天板１２とにより構成され、筐体１の前面にはディスク（以下、第１の直径として例えば８ｃｍの外径を有するディスクを小径ディスクｄ、第１の直径より大きい直径として例えば１２ｃｍの外径を有するディスクを大径ディスクＤとし、その両者の総称を単にディスクとして符号Ｄを付す）を出し入れするための横長の挿入口１３が開口されている。
【００１９】
２はトラメカと俗称されるドライブユニットであり、このドライブユニット２は、金属製の座板２１にターンテーブル２２や光ピックアップ２３などを一体に組み付けて構成されている。このうち、ターンテーブル２２は、ディスクＤを支持して回転させる円形の回転部材であり、これは座板２１に固定されるスピンドルモータ２４のロータ軸に直結されて一方向に回転駆動される。一方、光ピックアップ２３は、ターンテーブル２２で支持されたディスクＤの半径方向に移動しながら、ディスクＤの記録情報を読み出したり、ディスクＤに対して情報の書き込みを行ったりするための電子部品ユニットであり、これは公知のようにディスクＤの盤面に照射すべき光を発生するレーザダイオードなどの発光素子や、ディスクＤからの反射光を受け取る受光素子などを備えている。
【００２０】
又、２５はターンテーブル２２と協同してディスクＤを回転自在に挟持するクランプ盤、２６はクランプ盤２５を回転自在に保持するクランプベースであり、そのクランプベース２６は座板２１に形成したブラケット２１ａにより一端部を枢支されている。これにより、クランプベース２６で保持されたクランプ盤２５は、図１で示される位置を待機位置として、この待機位置からターンテーブル２２上のディスクＤをクランプする位置まで降下することが可能とされている。
【００２１】
尚、ドライブユニット２を構成する座板２１は、防振ダンパ２７を介してベースシャーシ１１に弾性支持されており、これによりディスク駆動時における再生音の音飛びなどが防止されるようになっている。
【００２２】
３は、上記のように構成されるドライブユニット２と筐体１に開口した挿入口１３との間に位置してディスクＤを搬送するディスク搬送機構であり、このディスク搬送機構３は、正逆に回転駆動される送りローラ４と、天板１２に取り付けられたガイド板５とを具備して構成されている。
【００２３】
送りローラ４は、大径ディスクＤの直径に略等しい軸長を有する細長のゴムローラであり、その回転軸４ａの両端は、フラップ板４１の両端に形成した左右一対のブラケット４１ａ（図１には片方のブラケット４１ａのみ示される）により回転自在に支持されている。フラップ板４１は、ブラケット４１ａの一端部においてベースシャーシ１１に枢着される支点軸４１ｂを備え、その支点軸４１ｂを中心として上下方向に揺動可能とされている。このため、ブラケット４１ａで支持された送りローラ４は、図１の一点鎖線で示される退避位置と、実線で示されるディスク搬送位置との間で昇降可能とされており、実線で示されるディスク搬送位置ではガイド板５との間にディスクＤを挟んで搬送することが可能とされている。
【００２４】
尚、送りローラ４は、フラップ板４１とベースシャーシ１１との間に掛けられたバネ４２によりディスク搬送位置に向けて付勢されているが、ディスクＤをターンテーブル２２上に案内するときには、送りローラ４が図示せぬカム部材によりバネ４２の付勢力に抗して上記退避位置に向けて押し下げられ、ターンテーブル２２上にディスクが載った時点では、送りローラ４が退避位置にあってディスクＤから離間することとなる。逆に、ディスクＤの搬送時には、バネ４２の付勢力がディスクＤに対して送りローラ４を押し付ける力として作用する。
【００２５】
ここに、筐体１内には挿入口１３側において本発明に係るディスク判別装置が設けられる。そして、そのディスク判別装置により、挿入口１３に挿入された大径ディスクＤ／小径ディスクｄの判別が自動的に行われ、その判別結果に基づいて送りローラ４やクランプ盤２５の降下タイミング（例えば、上記カム部材を移動させるための図示せぬモータの起動）などが制御されるようになっているが、係るディスク判別装置の構成については後述する。
【００２６】
次に、図２において、ガイド板５は左右一対のプレート部５１，５２と、その両者５１，５２の間に介在する連結部５３とを合成樹脂材料から一体成形してなる。一対のプレート部５１，５２は、連結部５３を介して連なられた薄板であり、その各表面ｆには連結部５３側の内側端部Ｅｉから反対側の外側端部Ｅｏに向かって延びる稜線ｔを有する断面三角形の凸条５１ａ，５１ｂ／５２ａ，５２ｂが形成されている。尚、図２において、ハッチングは凸条５１ａ，５１ｂ／５２ａ，５２ｂを明示するためのもので、断面をあらわすものではない。
【００２７】
図３から明らかなように、それら凸条５１ａ，５１ｂ／５２ａ，５２ｂ（図３には凸条５１ａ，５２ａのみ示される）は、内側端部Ｅｉから外側端部Ｅｏに向かって表面ｆからの突出量が漸増する高さを有した傾斜状の態様であり、その各々の両端の高低差は１ｍｍ程度とされている。そして、それら凸条５１ａ，５１ｂ／５２ａ，５２ｂには、搬送するディスクＤの外周縁のみが摺接するのであり、これによりディスク搬送時の摩擦抵抗を軽減しながらディスクＤの傷付きを防止できるようになっている。
【００２８】
加えて、図３および図４から明らかなように、一対のプレート部５１，５２には、その表面ｆ側において外側端部Ｅｏから表面ｆと直交する方向に突出するサイドガイド５４が形成され、その両者５１，５２のサイドガイド５４に搬送中の大径ディスクＤの左右外周端面が摺接することにより、そのセンタリングが行われる構成とされている。尚、小径ディスクｄのセンタリングは他の手段により行われるが、その説明は省略する。
【００２９】
又、図４から明らかなように、送りローラ４は中央部から両端部に向かって直径が漸増する形態とされており、これによりディスクＤの他面側においても、その外周縁にのみ送りローラ４の両端部が接触する。しかして、ディスクＤは、送りローラ４と凸条５１ａ，５１ｂ／５２ａ，５２ｂとにより左右両側縁を均等に挟持されながら搬送されることになる。
【００３０】
次に、上記ディスク判別装置の構成について言及する。図５のように、係るディスク判別装置は、ガイド板５に左右一対のスライダ６１，６２（第１のスライダ及び第２のスライダ）や作動板６３を取り付けることにより構成されている。スライダ６１，６２は、図５に示される位置を初期位置として、ガイド板５の前端縁に沿って互いの間隔が広がる方向に相対移動することが可能とされ、その各一端部にはガイド板５のプレート部５１，５２から挿入口１３の背後に向かって垂下する凸部６１ａ，６２ａが形成されている。両者の凸部６１ａ，６２ａは、初期位置において小径ディスクｄの直径よりも短い間隔（例えば、７ｃｍの間隔）で配列する設定となっており、挿入口１３へのディスクＤの挿入時には、両凸部６１ａ，６２ａがディスクＤの端面により押圧されてその間隔が広がり、これによりディスクＤが凸部６１ａ，６２ａの間を通過することが許容される。
【００３１】
又、図５および図６のように、挿入口１３の近傍には一方の凸部６１ａに係合するスイッチング操作部材６４が設けられている。スイッチング操作部材６４は、スライダ６１と同じく挿入口１３の長手方向に沿って移動可能とされていると共に、図６に示されるバネ６５により同図右方に付勢されている。しかして、凸部６１ａがディスクＤの端面により押圧されて図６の左方に移動すると、スイッチング操作部材６４もバネ６５の付勢力に抗して同方向に移動し、凸部６１ａに対するディスクＤの押圧力が無くなると、その凸部６１ａを有するスライダ６１がスイッチング操作部材６４と共にバネ６５の付勢力により初期位置に復帰し、その初期位置に維持されることとなる。
【００３２】
一方、図６および図７のように、ベースシャーシ１１の底部には、スイッチング操作部材６４の移動経路に沿って２つの検出スイッチＳ１，Ｓ２（第１の検出スイッチ及び第２の検出スイッチ）が所定の間隔をあけて配置されている。それら検出スイッチＳ１，Ｓ２は、接触子ｃを有する接触型の検出器（例えば、マイクロスイッチ）であり、これにより一方のスライダ６１の位置を検出しながら、その両者Ｓ１，Ｓ２の状態（例えば、オン−オフ状態）によって挿入口１３に大径ディスクＤと小径ディスクｄのいずれが挿入されたかを判別することが可能とされている。
【００３３】
ここに、スライダ６１は、スイッチング操作部材６４により検出スイッチＳ１がスイッチング操作（接触子ｃが押圧操作）される位置を第１位置、スイッチング操作部材６４により検出スイッチＳ２の接触子ｃが押圧操作される位置を第２位置とし、挿入口１３への小径ディスクｄの挿入時に初期位置から第１位置までの移動のみ可能とされ、大径ディスクＤの挿入時には初期位置から第１位置を経由して第２位置までの移動が可能とされている。
【００３４】
したがって、検出スイッチＳ１，Ｓ２の双方がオフ状態のままであれば、挿入口１３にディスクＤが挿入されておらず、検出スイッチＳ１が「オン」してから所定時間内に検出スイッチＳ２が「オン」しないか、又は検出スイッチＳ２が「オン」せずに検出スイッチＳ１が「オン」から「オフ」へと変遷すれば、挿入口１３に挿入されたディスクＤを小径ディスクｄとして判別できる。又、検出スイッチＳ１が「オン」してから所定時間内に検出スイッチＳ２が「オン」すれば、挿入口１３に挿入されたディスクＤを大径ディスクＤとして判別できる。尚、係る動作の詳細は追って説明する。
【００３５】
次に、図８および図９において、作動板６３はガイド板５より若干短い帯状の薄板であり、その中央部には取付孔６３ａが穿設されている。そして、係る作動板６３はガイド板５と天板１２との間にあって、取付孔６３ａに通されるピン１４にて天板１２に枢着され、そのピン１４を中心として両端が揺動可能とされている。又、作動板６３の長手方向一端部には「へ」字形に曲がったカム孔６３ｂが穿設され、他の一端部には「Ｚ」字形のストッパ部６３ｃと「へ」字形に曲がった突片６３ｄとが突設されている。
【００３６】
一方、スライダ６２には、カム孔６３ｂに挿入するスライドピン６２ｂが設けられている。そして、一方のスライダ６２が図８に示される初期位置にあるとき、ストッパ部６３ｃが他方のスライダ６１の移動経路上に位置して当該スライダ６１の上記第２位置への移動を阻止し、スライダ６２が初期位置から図８の右方に移動すると、カム孔６３ｂに対するスライドピン６２ｂの変位により、作動板６３がピン１４を中心に図８の時計回りに揺動してストッパ部６３ｃがスライダ６１の移動経路上から外れる構成とされている。尚、作動板６３には、その部位をＵ字形に切り抜いてなる弾性接触片６３ｅが形成されており、その弾性接触片６３ｅが天板１２に対して弾性接触することにより作動板６３のがたつきが防止されるようにしてある。
【００３７】
又、図８から明らかなように、ガイド板５の背面側（天板１２に対向する側）には、スライダ６１，６２や作動板６３のほか、トリガーレバー６６が取り付けられている。５５はトリガーレバー６６の支点軸としてガイド板５（プレート部５２）に突設したボスであり、トリガーレバー６６はそのボス５５を中心として揺動可能とされている。
【００３８】
そして、図８のように一対のスライダ６１，６２が初期位置にあるとき、トリガーレバー６６はその一端部がスライダ６１の端縁部に接触すると共に、他の一端部が作動板６３の突片６３ｄに接触してボス５５を中心とする揺動を規制される。一方、挿入口１３へのディスクＤの挿入により、スライダ６２が初期位置から図８の右方に所定位置まで移動されると、上記のように作動板６３がピン１４を中心に揺動する。これにより、例えば小径ディスクｄがスライダ６２のみ移動させながら挿入された場合でも、トリガーレバー６６が作動板６３の突片６３ｄにより一端部を押圧されて揺動しながら、他の一端部で初期位置にあるスライダ６１を上記第１位置に向けて押圧する。要するに、小径ディスクｄが図８の右側から挿入されて、その端面でスライダ６２の凸部６２ａのみが押圧された場合でも、作動板６３とトリガーレバー６６を介してスライダ６１を第１位置に移動させ、小径ディスクｄの挿入を検出することができる。
【００３９】
尚、スライダ６１は上記のようにバネ６５（図６参照）により初期位置に向けて付勢され、他方のスライダ６２はガイド板５との間に掛け渡されるバネ６７（図８参照）により初期位置に付勢されている。又、図８において、５６は上記バネ６５，６７による付勢力に抗してスライダ６１，６２を初期位置に維持するべくガイド板５に形成した突片、５７はスライダ６１，６２の移動案内をするガイドレールであり、このガイドレール５７は突片５６に連続してそれよりも一段低く突設され、スライダ６１，６２にはガイドレール５７に対応して図１０のようにガイド溝６１ｃ，６２ｃが形成されている。又、図８において、５８はガイドレール５７に沿ってガイド板５に形成した長孔であり、この長孔５８にスライダ６１，６２の凸部６１ａ，６２ａが通されるようになっている。
【００４０】
ここで、以上のように構成されるディスク判別装置に関し、図１１〜図１２を基にその動作、作用を説明する。先ず、図１１において、小径ディスクｄを挿入したときの動作について説明すると、図１１（ａ）は、小径ディスクｄを挿入口１３の中央に挿入したときの状態であり、このとき左右一対のスライダ６１，６２は、各々その凸部６１ａ，６２ａを小径ディスクｄの端面により押圧されて実線で示される初期位置から一点鎖線で示されるよう互いに間隔が広がる方向に移動する。特に、一方のスライダ６１に連動して図６に示したスイッチング操作部材６４がスライダ６１と同方向に移動し、これにより検出スイッチＳ１のスイッチング操作（接触子ｃの押圧操作）が行われる。つまり、スライダ６１は、その凸部６１ａを小径ディスクｄの端面で押圧されながら、検出スイッチＳ１のスイッチング操作が行われる第１位置まで移動するが、小径ディスクｄの直径に関係して検出スイッチＳ２のスイッチング操作が行われる第２位置までには至らない。したがって、検出スイッチＳ１，Ｓ２に導電接続する図示せぬ制御部には、検出スイッチＳ１から信号が入力されるものの、その入力時点から所定時間（例えば１秒）経過しても検出スイッチＳ２から信号入力が行われず、このため制御部では挿入口１３に小径ディスクｄが挿入されたものと判断して特定の制御処理を行なう。尚、検出スイッチＳ１が「オン」すると、図１に示した送りローラ４が直ちに回転駆動してディスクＤの引き込みを開始するが、挿入されたディスクＤが小径ディスクｄと判別されたとき、特定の制御処理として、小径ディスクｄに対応する機種の場合、例えば送りローラ４を昇降させる図示せぬカム部材の移動開始が大径ディスクＤの挿入時より早く行われ、小径ディスクｄに非対応の機種では、例えば送りローラ４を逆転して中途まで搬入した小径ディスクｄを挿入口１３から排出する動作に移行する。
【００４１】
一方、図１１（ｂ）は、挿入口１３の左端から小径ディスクｄを挿入したときの状態であり、このときには、一方のスライダ６１のみがその凸部６１ａを小径ディスクｄにより押圧されて他方のスライダ６２から離間する方向に単独移動する。しかし、その移動経路上には作動板６３のストッパ部６３ｃが待ち受け、上記第２位置へのスライダ６１の進行を阻止する。このため、スライダ６１は上記第１位置まで移動するが、第２位置までには至らない。これにより、制御部では挿入口１３に小径ディスクｄが挿入されたものと判断して上記と同様に特定の制御処理を行なう。
【００４２】
又、図１１（ｃ）は、挿入口１３の右端から小径ディスクｄを挿入したときの状態であり、このときには、一方のスライダ６２のみがその凸部６２ａを小径ディスクｄにより押圧されて他方のスライダ６１から離間する方向に先行して移動する。スライダ６２が移動を開始すると、カム孔６３ｂに対するスライドピン６２ｂの変位により作動板６３が揺動を始め、スライダ６２が所定位置に達した時点で作動板６３の突片６３ｄがトリガーレバー６６の一端部を押圧する。これにより、トリガーレバー６６が揺動しながらスライダ６１を上記第１位置に向けて押圧することとなる。尚、図１１（ｃ）から明らかなように、小径ディスクｄを挿入口１３の右端（スライダ６２側）から挿入した場合、作動板６３が揺動してストッパ部６３ｃがスライダ６１の移動経路上から外れる状態となる位置（規制解除位置）まで移動することとなるが、このとき小径ディスクｄの直径に関係してその端面によるスライダ６１の凸部６１ａの押圧は行われず、それ故、スライダ６１は上記第２位置に至らず、トリガーレバー６６により上記第１位置まで移動されるに過ぎない。しかして、制御部では挿入口１３に小径ディスクｄが挿入されたものと判断して上記と同様に特定の制御処理を行なう。
【００４３】
次に、図１２において、大径ディスクＤを挿入したときの動作について説明すると、大径ディスクＤの挿入時には、その直径に関係して、一対のスライダ６１，６２の凸部６１ａ，６２ａが大径ディスクＤの端面にて必ず押圧される。このため、スライダ６１，６２は凸部６１ａ，６２ａを大径ディスクＤにより押圧されながら、互いに間隔が広がる方向に移動する。尚、スライダ６１がストッパ部６３ｃの位置まで移動する頃、他方のスライダ６２が所定の位置まで達しており、これにより作動板６３が図１２に示される上記規制解除位置に揺動移動しているために、スライダ６１はストッパ部６３ｃにより進行を阻害されることなく、その凸部６１ａを大径ディスクＤに押圧されたまま上記第２位置まで移動する。したがって、上記制御部には、検出スイッチＳ１，Ｓ２の双方から信号が入力される。このため制御部では挿入口１３に大径ディスクＤが挿入されたものと判断して大径ディスクＤに対応した特定の制御処理を行なう。
【００４４】
以上、本発明の実施形態を説明したが、トリガーレバー６６は必ずしも必要なく、例えばスライダ６１，６２の初期位置の間隔を狭くし、小径ディスクｄが一方のスライダ６２側から挿入された場合に、他方のスライダ６１がその凸部６１ａを小径ディスクｄにより押圧されて第１位置に移動するようにしてもよく、これによればトリガーレバー６６を省略しながら小径ディスクｄが一方のスライダ６２側から挿入され場合でも、ディスクＤの挿入を検出しながら、そのディスクＤが小径ディスクｄであることを判別できる。
【００４５】
又、検出スイッチＳ１，Ｓ２をスライダ６１の移動経路に沿って配置し、それら検出スイッチＳ１，Ｓ２がスライダ６１にてスイッチング操作されるようにしてもよく、これによればスイッチング操作部材６４を省略することが可能となる。
【００４６】
加えて、検出スイッチＳ１，Ｓ２は接触子ｃが押圧されたとき「オン」となるものに限らず、接触子ｃが押圧されることで「オフ」となるものでもよい。
【符号の説明】
【００４７】
Ｄ  大径ディスク
ｄ  小径ディスク
１２  天板
１３  挿入口
４  送りローラ
５  ガイド板
６１  第１のスライダ
６１ａ  凸部
６２  第２のスライダ
６２ａ  凸部
６２ｂ  スライドピン
６３  作動板
６３ｂ  カム孔
６３ｃ  ストッパ部
６４  スイッチング操作部材
Ｓ１  第１の検出スイッチ
Ｓ２  第２の検出スイッチ
６６  トリガーレバー
【図１】
2012014814.tif 000003
【図２】
2012014814.tif 000004
【図３】
2012014814.tif 000005
【図４】
2012014814.tif 000006
【図５】
2012014814.tif 000007
【図６】
2012014814.tif 000008
【図７】
2012014814.tif 000009
【図８】
2012014814.tif 000010
【図９】
2012014814.tif 000011
【図１０】
2012014814.tif 000012
【図１１】
2012014814.tif 000013
【図１２】
2012014814.tif 000014